(57)【要約】 【課題】壁部の奥行き寸法が小さい場合であっても、操作部を容易に設置することができ、さらに、居住者に不快感を与えることがない電気式床暖房装置を提供すること。【解決手段】電気式床暖房装置１は、発熱体１１と、壁部２３に取り付けられたコントロール部１２と、天井裏２４に設置される開閉器１３とを備える。開閉器１３は、外部電源３及び発熱体１１間の電力の供給・遮断を行なうスイッチ部１３２を備える。コントロール部１２は、操作パネル１２１を有しており、コントロール部１２と開閉器１３とは、電線１４，１６により接続されている。【選択図】 図２
2006084100.tif 000002
【特許請求の範囲】
【請求項１】
電気を供給することにより発熱する発熱体を備えた電気式床暖房装置において、
前記発熱体と外部電源との接続及び遮断を行なうスイッチ部を備えた開閉器と、
前記開閉器と電線により接続されたコントロール部とを備え、
前記コントロール部は、少なくとも電気式床暖房装置の運転開始・停止の設定を行なう操作部と、この操作部の操作に基づく信号を前記開閉器に送信する信号送信部とを有し、前記信号送信部から、前記電線を介して前記信号を開閉器に送信し、スイッチ部の開閉を行なうことを特徴とする電気式床暖房装置。
【請求項２】
請求項１に記載の電気式床暖房装置において、
前記電線を通る前記信号は、無電圧信号又は有電圧信号であることを特徴とする電気式床暖房装置。
【請求項３】
請求項１又は２に記載の電気式床暖房装置において、
前記コントロール部と、前記開閉器との間には電力を供給するための電線が配置され、
前記コントロール部には、前記外部電源から、前記開閉器に供給された電力の一部が、電力供給用の前記電線を介して供給されることを特徴とする電気式床暖房装置。
【請求項４】
請求項１から３の何れかに記載の電気式床暖房装置において、
前記操作部は、電気式床暖房装置の運転開始・停止の設定に加え、室内の温度設定を行なうものであり、
前記コントロール部は、室内の温度を検出する温度検出手段と、
前記操作部にて設定した設定温度を記憶する記憶手段と、
前記温度検出手段で検出した温度と、前記記憶手段に記憶された設定温度とを比較する比較判別手段とを備え、
前記比較判別手段での判別結果に基づく信号は、前記電線を介して開閉器に送られ、この信号に基づいて、前記開閉器のスイッチ部の開閉が行なわれることを特徴とする電気式床暖房装置。
【発明の詳細な説明】
【技術分野】
【０００１】
本発明は、電気式床暖房装置に関する。
【背景技術】
【０００２】
従来から、快適な暖房装置として、電気式床暖房装置が使用されている。
この電気式床暖房装置は、床部に配置される発熱部（ヒータ）と、室内の壁部に取り付けられ、前記発熱部への電力の供給・停止の切替を行なう制御装置とを備えている。
発熱部には、制御装置を介して外部電源からの電力が供給される。制御装置は、発熱部及び外部電源間の接続・遮断を行なうリレースイッチであるスイッチ部と、床暖房装置の運転・停止等の設定を行なう操作パネル（操作部）とを備えており、操作パネルからの操作信号に基づいて、スイッチ部の開閉操作が行なわれている。
このような制御装置のスイッチ部は筐体に収納されており、操作パネルは、前記筐体の正面に取り付けられている。そして、操作パネルが室内の壁部から露出するように、筐体が壁部内部に埋設される（特許文献１参照）。
【０００３】
【特許文献１】特開２００３−１８５１６３公報（図９，図１０）
【発明の開示】
【発明が解決しようとする課題】
【０００４】
前述したように、このような電気式床暖房装置では、スイッチ部を収納した筐体を壁部内部に埋設している。スイッチ部は、その開閉動作により発熱するため、スイッチ部で発生した熱の放熱性を考慮すると、前記筐体をある程度以上の大きさにする必要があり、筐体の小型化を図ることが難しい。
従って、壁部の奥行き寸法が小さいような場合には、筐体を壁部内部に埋設しにくくなり、筐体に設けられた操作パネルの壁部への取り付けが困難となる場合がある。
さらに、壁部内部にスイッチ部を配置しているので、スイッチ部の開閉操作音が、室内に響き、居住者に不快感を与えるという問題がある。
【０００５】
本発明の目的は、壁部の奥行き寸法が小さい場合であっても、操作部を容易に設置することができ、さらに、居住者に不快感を与えることがない電気式床暖房装置を提供することである。
【課題を解決するための手段】
【０００６】
本発明の電気式床暖房装置は、電気を供給することにより発熱する発熱体を備えた電気式床暖房装置において、前記発熱体と外部電源との接続及び遮断を行なうスイッチ部を備えた開閉器と、前記開閉器と電線により接続されたコントロール部とを備え、前記コントロール部は、少なくとも電気式床暖房装置の運転開始・停止の設定を行なう操作部と、この操作部の操作に基づく信号を前記開閉器に送信する信号送信部とを有し、前記信号送信部から、前記電線を介して前記信号を開閉器に送信し、スイッチ部の開閉を行なうことを特徴とする。
【０００７】
このような本発明によれば、発熱体への電力の供給・遮断を行なうスイッチ部を備えた開閉器と、操作部を備えたコントロール部とを別体とし、電線により接続している。そのため、コントロール部と、開閉器とを異なる場所に設置することが可能となる。コントロール部は、操作部を備えているため、使用者の操作性を考慮して、コントロール部のみを、壁部に取り付けることが好ましい。
コントロール部は、スイッチ部を備えていないので、その分、小型化を図ることが可能であり、奥行き寸法が小さい壁部であっても、コントロール部を壁部に容易に取り付けることができる。すなわち、操作部を奥行き寸法が小さい壁部に容易に取り付けることができるのである。
さらに、コントロール部と、開閉器とを異なる場所に設置することが可能であり、コントロール部のみを室内の壁部に取り付け、開閉器を壁部とは異なる他の場所に設置することができる。そのため、開閉器を、例えば、天井裏や、分電盤の設置箇所等の目立たないような場所に設置することができるので、開閉器のスイッチ部の開閉音が室内に響くことがなくなり、居住者の不快感を取り除くことができる。
【０００８】
さらに、従来、スイッチ部を壁部内に設置しているので、外部電源からの電力供給用の電線を壁部内のスイッチ部に接続するとともに、発熱体への電力供給用の電線を壁部内のスイッチ部に接続する必要がある。このように壁部内部の狭い空間で電線の接続を行なう必要があり、接続に手間を要するという問題が生じている。
これに対し、本発明では、コントロール部と、開閉器とを異なる場所に設置することが可能となるので、開閉器を天井裏や、分電盤の設置箇所等の比較的広い場所に配置することが可能となる。開閉器のスイッチ部に対し、外部電源からの電線を接続する場合や、開閉器のスイッチ部に発熱体からの電線を接続する場合であっても、容易に接続を行なうことができる。
【０００９】
この際、前記電線を通る前記信号は、無電圧信号又は有電圧信号であることが好ましい。
ここで、無電圧信号とは、電圧が１０Ｖ以下又は電圧が０Ｖの信号のことをいう。
電気設備の技術基準によれば、信号の電圧が６０Ｖ以下の場合には、配線工事を簡易化することができるので、電線を通る信号を無電圧信号とすれば、電線の配線工事を簡易化することができる。
また、信号を有電圧信号とした場合であっても、開閉器及びコントロール部を接続する電線は、信号を通す電線であるため、電線の径を小さくすることができる。コントロール部を壁部に取り付け、開閉器を天井裏等に設置する場合には、電線を壁部を介して天井裏まで通さなくてはならないが、電線の径が小さいため、容易に配線を行なうことができる。
【００１０】
さらに、本発明では、前記コントロール部と、前記開閉器との間には電力を供給するための電線が配置され、前記コントロール部には、前記外部電源から、前記開閉器に供給された電力の一部が、電力供給用の前記電線を介して供給されることが好ましい。
このような本発明によれば、コントロール部と、開閉器とを電力供給用の電線及び、信号通信用の電線で接続することで、電力の供給と、信号の通信とを行なうことができる。
そのため、電力供給用の電線及び、信号通信用の電線を束ねて、１本のケーブルとすれば、コントロール部及び開閉器をケーブルで接続するだけで、開閉器からのコントロール部への電力の供給、開閉器及びコントロール部間の信号の通信の双方を可能とすることができる。
従って、コントロール部と外部電源とを電力供給用の電線で接続し、コントロール部と、開閉器とを信号通信用の電線で接続する場合に比べ、接続作業が簡略化される。
【００１１】
さらに、本発明では、前記操作部は、電気式床暖房装置の運転開始・停止の設定に加え、室内の温度設定を行なうものであり、前記コントロール部は、室内の温度を検出する温度検出手段と、前記操作部にて設定した設定温度を記憶する記憶手段と、前記温度検出手段で検出した温度と、前記記憶手段に記憶された設定温度とを比較する比較判別手段とを備え、前記比較判別手段での判別結果に基づく信号は、前記電線を介して開閉器に送られ、この信号に基づいて、前記開閉器のスイッチ部の開閉が行なわれることが好ましい。
このような本発明によれば、コントロール部は、室内の温度を検出する温度検出手段を備えており、この温度検出手段で検出した温度と設定温度とを比較して、スイッチ部の開閉を制御しているので、室内の温度を設定温度に確実に近づけることができる。
【発明を実施するための最良の形態】
【００１２】
以下、本発明の実施形態を図面に基づいて説明する。
図１には、本実施形態の電気式床暖房装置１が示されている。
この電気式床暖房装置１は、建物の室内２１の床部２２に配置される発熱体１１と、前記室内２１の壁部２３に取り付けられたコントロール部１２と、開閉器１３とを備える。
発熱体１１（１１Ａ〜１１Ｄ）は、電気により熱を発生するものであり、本実施形態では、面状の電熱ボードとなっている。電熱ボードの内部には、ニクロム線が配置されており、ニクロム線に電気を通すことで、発熱する構成となっている。
この発熱体１１は、床部２２を構成するフローリング材２２１の下面に、複数枚、例えば４枚、配置されている。また、発熱体１１の周囲には、合板２２２が配置され、発熱体１１が固定されている。
【００１３】
開閉器１３は、コントロール部１２からの制御信号に基づいて、外部電源３と、発熱体１１との接続・遮断を行なうものである。
この開閉器１３は、室内２１の壁部２３には取り付けられていない。開閉器１３は、目立たず、比較的広いスペース、例えば、天井裏、分電盤が設置された場所、台所の冷蔵庫の裏、さらには、押し入れ等に設置される。本実施形態では、開閉器１３は、天井裏２４に設置されている。
【００１４】
開閉器１３は、図２に示すように、外部電源３からの電力を受ける電源回路１３１と、この電源回路１３１に供給された電力の各発熱体１１（１１Ａ〜１１Ｂ）への供給・遮断を行なうスイッチ部１３２（１３２Ａ〜１３２Ｄ）と、電圧制御手段１３３と、スイッチ部１３２の開閉の制御を行なう開閉制御手段１３４と、コントロール部１２からの制御信号を受信する信号受信部１３５と、これらを収容する筐体１３６（図１参照）を備える。
【００１５】
電源回路１３１は、電源ケーブル１３７を介して外部電源３に接続される。この電源回路１３１に供給された電力は、開閉制御手段１３４及び電圧制御手段１３３に供給される。また、この電源回路１３１には、電線１４が接続されており、この電線１４を介して、電源回路１３１に供給された電力の一部が、コントロール部１２に供給される。
電圧制御手段１３３は、電源回路１３１及び複数のスイッチ部１３２に接続されている。この電圧制御手段１３３は、コントロール部１２から送信され、信号受信部１３５で受信した信号に基づいて、電源回路１３１からスイッチ部１３２に供給される電気の電圧を制御する。
【００１６】
スイッチ部１３２（１３２Ａ〜１３２Ｄ）は、各発熱体１１に応じて、複数個設けられており、本実施形態では、４つ設けられている。このスイッチ部１３２は、有接点式のリレースイッチであり、開閉制御手段１３４からの電磁作用により、開閉する構造となっている。
スイッチ部１３２の電流容量としては、例えば、２０Ａである。この各スイッチ部１３２と、各発熱体１１とは電線１５により接続されている。この電線１５は、図１に示すように、天井裏２４から、壁部２３内部を通り、床部２２のフローリング材２２１の下面に配置された発熱体１１まで延びている。
なお、本実施形態では、スイッチ部１３２は、有接点式のリレースイッチであるとしたが、これにかぎらず、無接点式のリレースイッチであってもよい。
【００１７】
開閉制御手段１３４は、コントロール部１２から送信され、信号受信部１３５で受信した信号に基づいて、スイッチ部１３２の開閉を制御する。
筐体１３６は、電源回路１３１と、スイッチ部１３２、電圧制御手段１３３、開閉制御手段１３４、信号受信部１３５を収容するものである。この筐体１３６は、図１に示すように、直方体の箱型形状であり、例えば、縦（Ｈ１）３００ｍｍ×横（Ｈ２）３００ｍｍ×奥行き寸法（Ｈ３）１２０〜１５０ｍｍである。
なお、筐体１３６内部のスイッチ部１３２は、その開閉により熱を発生するため、この熱を逃がすために、筐体１３６に放熱板等を設けても良い。
【００１８】
コントロール部１２は、図１に示すように、筐体１２０と、筐体１２０表面に取り付けられた操作パネル（操作部）１２１とを備える。
操作パネル１２１は、平面略矩形形状であり、各種の操作ボタン１２１Ｂを備えている。例えば、操作パネル１２１は、床暖房装置１のＯＮ／ＯＦＦを行なう運転ボタン、室内２１の温度設定を行なう温度設定ボタン等を備えている。また、操作パネル１２１は、表示部１２１Ａを備えており、この表示部１２１Ａに操作ボタン１２１Ｂにより設定された設定温度等が表示される。
筐体１２０には、室内２１の温度を検出する温度検出手段としての温度センサ１２２が取り付けられている（図２参照）。また、筐体１２０内部には、図示しない回路基板が配置されている。
この回路基板上には、図２に示すように、操作信号受信部１２３と、センサ信号受信部１２４と、記憶手段１２５と、ＣＰＵ等から構成される制御部１２６と、信号送信部１２７と、電源回路１２８とが配置されている。
【００１９】
操作信号受信部１２３は、操作パネル１２１での操作ボタン１２１Ｂの押下を検出し、これに基づく操作信号を受け付け、受け付けた操作信号を制御部１２６に出力する。
センサ信号受信部１２４は、温度センサ１２２で検出したセンサ信号を受ける部分であり、センサ信号受信部１２４で検出されたセンサ信号は、センサ信号受信部でデジタル信号に変換される。変換された信号は、制御部１２６に出力される。
記憶手段１２５は、操作パネル１２１で設定した温度を記憶する。
制御部１２６は、操作信号受信部１２３及びセンサ信号受信部１２４からの信号に基づいて、制御信号を生成し、信号送信部１２７や、表示部１２１Ａに出力する。
例えば、操作パネル１２１の操作ボタン１２１Ｂを操作し、温度設定を行なうと、操作信号が、操作信号受信部１２３を介して制御部１２６に入力され、制御信号が生成される。この制御信号に基づいて、表示部１２１Ａが駆動し、設定温度の温度表示が行なわれる。
また、操作パネル１２１の操作ボタン１２１Ｂを操作し、温度設定を行なうと、記憶手段１２５に設定温度が記憶されるが、この制御部１２６では、記憶された設定温度と、センサ信号受信部１２４から入力された検出温度とを比較し、その差を求める。差が所定値以上である場合には、所定の制御信号を生成し、信号送信部１２７から前記制御信号を開閉器１３に送信する。すなわち、制御部１２６は、本発明の比較判別手段としての役割を果たす。
【００２０】
信号送信部１２７は、所定の制御信号を開閉器１３に出力するものであり、開閉器１３の信号受信部１３５と電線１６により接続されている。本実施形態では、電線１６を介して、コントロール部１２及び開閉器１３間でやり取りされる信号は、例えば１００Ｖの有電圧信号である。
電源回路１２８は、制御部１２６等に電源を供給するためのものであり、開閉器１３の電源回路１３１と電線１４を介して接続されている。すなわち、コントロール部１２には、開閉器１３を介して外部電源３からの電力が供給されることとなる。
【００２１】
なお、コントロール部１２及び開閉器１３を接続する電力用の電線１４と、信号通信用の電線１６とは、束ねられ、１本のケーブル１７（図１参照）として構成されている。
このケーブル１７は、開閉器１３が設置された天井裏２４から、壁部２３内部を通り、コントロール部１２に接続される。
【００２２】
以上のような、コントロール部１２は、図１に示すように、室内の壁部２３に取り付けられ、筐体１２０が壁部２３内部に埋設されるとともに、操作パネル１２１が壁部２３表面から露出する。
コントロール部１２の筐体１２０は奥行き寸法Ｔ１（操作パネル１２１のパネル面と直交する方向の寸法）が４０ｍｍ以下であることが好ましく、特に３０ｍｍ以下、さらには、２０ｍｍ前後であることが好ましい。
また、操作パネル１２１の大きさは、縦（図１中のＴ２）１２０ｍｍ以下×横（図１中のＴ３）１１６ｍｍ以下であることが好ましい。
例えば、コントロール部１２の大きさ形状は、縦１２０ｍｍ×横１１６ｍｍ×奥行き寸法３６．５ｍｍ、又は縦１２０ｍｍ×横７０ｍｍ×奥行き寸法３６．５ｍｍ程度である。
このような大きさ形状のコントロール部１２では、筐体１２０が壁部２３内部に２１．５ｍｍ程度埋設することとなる。
【００２３】
次に、電気式床暖房装置１の駆動について説明する。
まず、使用者が、操作パネル１２１の操作ボタン１２１Ｂを押し、床暖房装置１の運転を開始する。操作ボタン１２１Ｂの押下により、発生した操作信号が操作信号受信部１２３で受信される。この操作信号受信部１２３で受信された操作信号は、制御部１２６に出力される。制御部１２６では、この操作信号を信号送信部１２７に出力し、操作信号は、電線１６を介して、開閉器１３に送られる。
開閉器１３の信号受信部１３５では、前記操作信号を受信し、この操作信号は、開閉制御手段１３４に送信される。これにより開閉制御手段１３４では、操作信号に基づく電磁力が発生し、これにより、スイッチ部１３２が閉まることとなる。すると、発熱体１１には、電源回路１３１から電力が供給されることとなり、発熱体１１が発熱を開始する。
【００２４】
次に、使用者が操作パネル１２１を操作し、操作ボタン１２１Ｂを押下して、温度設定を行なうと、操作信号が発生し、この操作信号は、操作信号受信部１２３で受信される。そして、操作信号は、制御部１２６を介して、記憶手段１２５に出力される。記憶手段１２５では、この信号に基づく設定温度を記憶する。
【００２５】
一方、コントロール部１２の温度センサ１２２は、室内２１の温度を検出し、温度センサ１２２によるセンサ信号がセンサ信号受信部１２４で受信される。このセンサ信号は、デジタル信号に変換されて制御部１２６に出力される。
制御部１２６では、記憶手段１２５に記憶した設定温度を読み出し、センサ信号に基づく温度（検出温度）と、設定温度とを比較する。検出温度が、設定温度を所定値以上、例えば、１℃以上超えると判断した場合には、制御部１２６で所定の制御信号を生成する。生成した制御信号は、信号送信部１２７、開閉器１３の信号受信部１３５を介して、開閉制御手段１３４に送信される。そして開閉制御手段１３４では、制御信号に基づいて、電磁力の発生が停止され、スイッチ部１３２が開く。これにより、発熱体１１への電力の供給が停止され、発熱が停止される。
【００２６】
一方、制御部１２６で検出温度が、設定温度を超えるものの、その温度差が所定値未満であると判断した場合には、制御部１２６では、前記制御信号と異なる他の制御信号を生成する。他の制御信号は、信号送信部１２７、開閉器１３の信号受信部１３５を介して、電圧制御手段１３３に送信される。電圧制御手段１３３では、この他の制御信号に基づいて、スイッチ部１３２に供給されている電圧を弱め、発熱体１１の発熱量を低減させる。これにより、発熱体１１の発熱量が調整されることとなる。
なお、制御部１２６で検出温度が、設定温度を超えないと判断した場合には、制御部１２６では制御信号が生成されず、発熱体１１の発熱量の調整等は行なわれない。
【００２７】
従って、本実施形態によれば、以下の効果を奏することができる。
（１）発熱体１１への電力の供給・遮断を行なうスイッチ部１３２を備えた開閉器１３と、操作パネル１２１を備えたコントロール部１２とを別体とし、電線１４，１６により接続している。そのため、コントロール部１２と、開閉器１３とを異なる場所に設置することが可能となる。コントロール部１２は、操作パネル１２１を備えているため、コントロール部１２のみを室内２１の壁部２３に取り付ければよい。そして、このコントロール部１２は、スイッチ部を備えていないので、その分、薄型化されたものとなっており、奥行き寸法が小さい壁部２３であっても、コントロール部１２を壁部２３に容易に取り付けることができる。すなわち、操作パネル１２１を容易に壁部２３に取り付けることができるのである。
また、このコントロール部１２は、スイッチ部を備えておらず、薄型化されたものとなるため、壁部２３に取り付けた際に、壁部２３から大きく突出することがなく、外観が良好なものとなる。
本実施形態では、コントロール部１２の大きさ形状は、縦（Ｔ２）１２０ｍｍ×横（Ｔ３）１１６ｍｍ×奥行き寸（Ｔ１）３６．５ｍｍ、又は縦（Ｔ２）１２０ｍｍ×横（Ｔ３）７０ｍｍ×奥行き寸法（Ｔ１）３６．５ｍｍ程度となる。これに対し、従来の壁部に取り付けられていた制御装置の大きさ寸法は、縦１２０ｍｍ×横１１６ｍｍ×奥行き寸法５６．５ｍｍ、又は縦１２０ｍｍ×横７０ｍｍ×奥行き寸法５６．５ｍｍ程度である。すなわち、本実施形態のコントロール部１２の奥行き寸法（Ｔ１）は、従来の制御装置の奥行き寸法に比べ、２０ｍｍ程度薄くなるのである。
【００２８】
（２）さらに、コントロール部１２と、開閉器１３とを異なる場所に設置することが可能であるため、開閉器１３を比較的広いスペースを備えた天井裏２４に設置することができる。これにより、開閉器１３の大きさの制限が緩和される。そのため、スイッチ部１３２の数を増加させることも可能となり、発熱体１１の数を増やし、発熱体１１で加熱できる床部２２の面積を大きくすることが可能となる。
【００２９】
（３）また、開閉器１３を天井裏２４に配置することができるので、開閉器１３のスイッチ部１３２の開閉音が室内の響くことがなく、居住者の不快感を取り除くことができる。
さらに開閉器１３と、コントロール部１２とを別体とすることで、開閉器１３を天井裏２４等の比較的広い場所に設置できるので、開閉器１３の点検や、開閉器１３と発熱体１１とを接続する電線１５の配線変更等を容易に行なうことができる。
【００３０】
（４）従来、スイッチ部を壁部内に設置していたので、外部電源からの電力供給用の電線を壁部内のスイッチ部に接続するとともに、発熱体への電力供給用の電線を壁部内のスイッチ部に接続する必要があった。このように壁部内部の狭い空間でスイッチ部と電線との接続を行なう必要があり、接続に手間を要するという問題が生じていた。
これに対し、本実施形態では、コントロール部１２と、開閉器１３とを異なる場所に設置することが可能であるため、開閉器１３を天井裏２４等の比較的広い場所に配置することができる。そのため、開閉器１３のスイッチ部１３２に対し、電線１５、電源ケーブル１３７を接続する際には、比較的広い場所で作業を行なうことができるので接続に手間を要しない。
【００３１】
（５）さらに、開閉器１３と、コントロール部１２とを接続する通信用の電線１６は、信号を通す電線であるため、電線１６の径を小さくすることができる。コントロール部１２を壁部２３に取り付け、開閉器１３を天井裏２４に設置する場合には、電線１６を壁部２３を介して天井裏２４まで通さなくてはならないが、電線１６の径が小さいため、容易に配線を行なうことができる。
（６）また、本実施形態では、コントロール部１２には、開閉器１３を介して電力が供給されており、電力供給用の電線１４と、信号通信用の電線１６とを束ねて１本のケーブル１７としている。従って、コントロール部１２と開閉器１３を１本のケーブル１７で接続するだけで、コントロール部１２への電力の供給と、コントロール部１２及び開閉器１３間の信号の通信とを可能とすることができる。従って、コントロール部１２に外部電源３からの電力供給用の電線を接続するとともに、コントロール部１２及び開閉器１３間を通信用の電線で接続する場合に比べ、配線作業が簡略化される。
【００３２】
（７）さらに、本実施形態では、コントロール部１２に温度センサ１２２を設け、この温度センサ１２２で検出した検出温度と、操作パネル１２１で設定した設定温度とを比較し、比較結果に基づいて、発熱体１１に供給する電力を制御している。これにより、室内２１の温度を設定温度に確実に近づけることができる。
【００３３】
なお、本発明は前述の実施形態に限定されるものではなく、本発明の目的を達成できる範囲での変形、改良等は本発明に含まれるものである。
例えば、前記実施形態では、発熱体１１は、ニクロム線を備えるものとし、コントロール部１２での制御信号に基づいて、発熱体１１の発熱が調整されるとしたが、これに限らず、例えば、発熱体をＰＴＣヒータとしてもよい。ＰＣＴヒータとすれば、温度の上昇とともに、電気抵抗値が増大するので、一定温度に達した場合に、電流が流れなくなる。これにより、発熱体の過熱を防止することができる。
【００３４】
さらに、前記実施形態では、床部２２を構成するフローリング材２２１の下面に発熱体１１を配置したが、これに限らず、発熱体１１の表裏面に、床材を接着し、発熱体と床部を構成する床材とを一体化させてもよい。
また、発熱体１１の下面に蓄熱材を貼り付けて、蓄熱材と一体化させてもよい。
さらに、前記実施形態では、発熱体１１を電熱ボードとしたが、これに限らず、電熱ボードに比べ柔軟性のある電熱マットであってもよく、また、電熱ボード、電熱マットよりも薄いシート状の電熱シートであってもよい。
前記実施形態では、コントロール部１２は、温度センサ１２２による温度調整機能を備えるものとしたが、温度センサ１２２による温度調整機能のみならず、例えば、タイマー機能等を備えるものとしてもよい。コントロール部１２にカウンターを設け、設定した時間が経過すると、制御部１２６で制御信号を生成し、開閉器１３のスイッチ部１３２の開閉を制御するようにしてもよい。
【００３５】
さらに、前記実施形態では、コントロール部１２の温度センサ１２２で検出した温度に基づいて、開閉器１３のスイッチ部１３２の開閉制御、開閉器１３から発熱体１１に出力される電気の電圧の制御を行い、発熱体１１の発熱量の調整を行なっていたが、これに限られるものではない。例えば、所定時間ごとにスイッチ部１３２の開閉を行なうようにスイッチ部１３２を制御し、発熱体１１の発熱量の調整を行なっても良い（間欠運転機能）。コントロール部１２又は開閉器１３にカウンターを設け、カウンターで設定した時間が経過すると、所定の制御信号が生成され、この制御信号に基づいて、開閉器１３の開閉制御手段１３４がスイッチ部１３２の開閉を行なうようにすればよい。
【００３６】
また、コントロール部又は開閉器に設けられたカウンターで時間をカウントし、カウンターで設定した時間が経過すると、所定の制御信号が生成され、この制御信号に基づいて、所定時間ごとに複数のスイッチ部１３２が交互に開閉するように設定してもよい（交互運転機能）。
さらに、コントロール部１２の温度センサ１２２で室温を検出するのではなく、建物の室内２１の床部２２に床部２２の温度を検出する温度センサ（床温センサ）を設け、この温度センサに基づいて、開閉器１３のスイッチ部１３２の開閉制御、開閉器１３から発熱体１１に出力される電気の電圧の制御を行い、発熱体１１の発熱量の調整を行なってもよい。
また、コントロール部１２に、他の機器、例えば、携帯電話等からの信号を受け付けるＨＡ端子等を設けても良い。このようにすることで、携帯電話を操作することで、所定の操作信号を生成することができ、使用者の利便性を向上させることができる。
【００３７】
また、前記実施形態では、コントロール部１２が制御部１２６を備えるものとしたが、これに限らず、制御部１２６を開閉器１３に搭載してもよい。
さらに、前記実施形態では、床暖房装置１は、発熱体１１を複数備えるとしたが、これに限らず、発熱体１１は１つであってもよい。
また、前記実施形態では、開閉器１３を介して外部電源３からの電力の一部を、コントロール部１２に供給していたが、これに限らず、外部電源３からコントロール部１２に直接、電力を供給してもよい。
さらに、前記実施形態では、コントロール部１２から電線１６を介して、開閉器１３に送信される信号は有電圧信号であるとしたが、無電圧信号としてもよい。電気設備の技術基準によれば、信号の電圧が６０Ｖ以下の場合には、配線工事を簡易化することができるので、電線を通る信号を無電圧信号とすれば、電線の配線工事が簡単となる。
【産業上の利用可能性】
【００３８】
本発明は、電気式床暖房装置に利用できる。
【図面の簡単な説明】
【００３９】
【図１】本発明の一実施形態にかかる電気式床暖房装置を示す斜視図である。
【図２】前記電気式床暖房装置の構成を示すブロック図である。
【符号の説明】
【００４０】
１     電気式床暖房装置
３     外部電源
１１   発熱体
１２   コントロール部
１３   開閉器
１４   電線
１５   電線
１６   電線
２１   室内
１２１ 操作パネル（操作部）
１２２ 温度センサ
１２６ 制御部（比較判別手段）
１３２ スイッチ部
【図１】
2006084100.tif 000003
【図２】
2006084100.tif 000004